(57)【要約】【課題】互いが干渉せずに読取部及び遮蔽部材を移動させる際に、読取部及び遮蔽部材の移動を別個に制御するのを不要とする。【解決手段】一方向（図７における反時計方向）へ回転するギア５４から伝達される回転力をイメージセンサ４２の移動方向への移動力に変換してイメージセンサ４２に伝達し、第１移動機構８１により遮蔽部材４４が開放位置に移動した後に第１離れ位置から読取位置へイメージセンサ４２を移動させる第２移動機構８２を備える。【選択図】図７
2011010092.tif 000002
【特許請求の範囲】
【請求項１】
搬送路を搬送される原稿の画像を読取可能な読取位置と、その読取位置よりも前記搬送路から離れた第１離れ位置と、の間を移動可能とされ、前記読取位置において前記原稿の画像を読み取る読取部と、
前記第１離れ位置に位置する前記読取部を前記搬送路から遮蔽可能な遮蔽位置と、前記第１離れ位置に位置する前記読取部を前記搬送路に開放可能な開放位置と、の間を前記搬送路に沿って移動可能とされ、前記遮蔽位置において前記読取部を前記搬送路から遮蔽する遮蔽部材と、
駆動部からの駆動力を受けて一方向へ回転可能な回転体と、
前記一方向へ回転する前記回転体から伝達される回転力を前記遮蔽部材の移動方向への移動力に変換して前記遮蔽部材に伝達し、前記遮蔽位置から前記開放位置へ前記遮蔽部材を移動させる第１移動機構と、
前記一方向へ回転する前記回転体から伝達される回転力を前記読取部の移動方向への移動力に変換して前記読取部に伝達し、前記第１移動機構により前記遮蔽部材が前記開放位置に移動した後に前記第１離れ位置から前記読取位置へ前記読取部を移動させる第２移動機構と、
を備える画像読取装置。
【請求項２】
前記回転体は、駆動部からの駆動力を受けて他方向へ回転可能とされ、
前記第２移動機構は、前記他方向へ回転する前記回転体から伝達される回転力を前記読取部の移動方向への移動力に変換して前記読取部に伝達し、前記読取位置から前記第１離れ位置へ前記読取部を移動させ、
前記第１移動機構は、前記他方向へ回転する前記回転体から伝達される回転力を前記遮蔽部材の移動方向への移動力に変換して前記遮蔽部材に伝達し、前記第２移動機構により前記読取部が前記読取位置から前記第１離れ位置に移動した後に、前記開放位置から前記遮蔽位置へ前記遮蔽部材を移動させる請求項１に記載の画像読取装置。
【請求項３】
前記読取部は、前記第１離れ位置よりも前記搬送路から離れた第２離れ位置と、前記読取位置の間を移動可能とされ、
前記第２移動機構は、
前記一方向へ回転する前記回転体から伝達される回転力を前記読取部の移動方向への移動力に変換して前記読取部に伝達し、前記第１離れ位置から前記第２離れ位置、前記第１離れ位置、前記読取位置の順で前記読取部を移動させる請求項１又は請求項２に記載の画像読取装置。
【請求項４】
前記第１移動機構は、
前記回転体から伝達される回転力により回転する第１回転部材と、
一端部が前記第１回転部材側に配置され、他端部が前記遮蔽部材に連結された第１連結部材と、
前記第１回転部材の回転中心からずれた位置に設けられ、前記第１回転部材と一体に回転し、前記第１連結部材に回転可能に連結された第１連結部と、
前記第１連結部材に形成され、前記第１回転部材と一体に回転する第１連結部から前記第１連結部材へ伝達される移動力のうち、前記遮蔽部材の移動方向と異なる方向へ作用する移動力を吸収するように、前記第１連結部を案内する第１案内部と、を備えて構成されている請求項１〜３のいずれか１項に記載の画像形成装置。
【請求項５】
前記第２移動機構は、
前記回転体から伝達される回転力により回転する第２回転部材と、
一端部が前記第２回転部材に配置され、中間部が回転可能に支持され、他端部が前記読取部に回転可能に連結され、前記中間部を支点に揺動することにより前記読取部を前記離れる方向及びその反対方向へ移動させる第２連結部材と、
前記第２回転部材の回転中心からずれた位置に設けられ、前記第２回転部材と一体に回転し、前記第２連結部材の前記一端部側に回転可能に連結された第２連結部と、
前記第２連結部材に形成され、前記第２回転部材と一体に回転する第２連結部から前記第２連結部材へ伝達される移動力のうち、前記第２連結部材の揺動方向と異なる方向へ作用する移動力を吸収するように、前記第２連結部を案内する第２案内部と、
を備える構成されている請求項１〜４のいずれか１項に記載の画像読取装置。
【請求項６】
前記原稿から読み取った画像を画像信号に変換する請求項１〜５のいずれか１項に記載の画像読取装置と、
前記画像読取装置が変換した画像信号に基づいて記録媒体へ画像を記録可能な画像記録装置と、
を備える画像形成装置。
【発明の詳細な説明】
【技術分野】
【０００１】
本発明は、画像読取装置及び画像形成装置に関する。
【背景技術】
【０００２】
画像読取装置としては、特許文献１に開示される自動原稿送り装置が公知である。特許文献１に開示される自動原稿送り装置１では、原稿の裏面をスキャンする必要がない場合、裏面用の原稿読取ユニット５０Ｂ内において、搬送路１０から離れた所定の退避位置にＣＩＳ６０を待機させておくとともに遮蔽板７０を閉じておく。これによりＣＩＳ６０が搬送路１０から遮蔽される。また、遮蔽板７０には、シェーディング補正用の基準色板８０と、ＣＩＳ６０の受光部６０ａを清掃するための清掃用ブラシ９０が取り付けられている。
【先行技術文献】
【特許文献】
【０００３】
【特許文献１】特開２００７−８８９１９号公報（図２）
【発明の概要】
【発明が解決しようとする課題】
【０００４】
本発明は、互いが干渉せずに読取部及び遮蔽部材を移動させる際に、読取部及び遮蔽部材の移動を別個に制御するのを不要とすることを課題とする。
【課題を解決するための手段】
【０００５】
本発明の請求項１に係る画像読取装置は、搬送路を搬送される原稿の画像を読取可能な読取位置と、その読取位置よりも前記搬送路から離れた第１離れ位置と、の間を移動可能とされ、前記読取位置において前記原稿の画像を読み取る読取部と、前記第１離れ位置に位置する前記読取部を前記搬送路から遮蔽可能な遮蔽位置と、前記第１離れ位置に位置する前記読取部を前記搬送路に開放可能な開放位置と、の間を前記搬送路に沿って移動可能とされ、前記遮蔽位置において前記読取部を前記搬送路から遮蔽する遮蔽部材と、駆動部からの駆動力を受けて一方向へ回転可能な回転体と、前記一方向へ回転する前記回転体から伝達される回転力を前記遮蔽部材の移動方向への移動力に変換して前記遮蔽部材に伝達し、前記遮蔽位置から前記開放位置へ前記遮蔽部材を移動させる第１移動機構と、前記一方向へ回転する前記回転体から伝達される回転力を前記読取部の移動方向への移動力に変換して前記読取部に伝達し、前記第１移動機構により前記遮蔽部材が前記開放位置に移動した後に前記第１離れ位置から前記読取位置へ前記読取部を移動させる第２移動機構と、を備える。
【０００６】
本発明の請求項２に係る画像読取装置は、請求項１の構成において、前記回転体は、駆動部からの駆動力を受けて他方向へ回転可能とされ、前記第２移動機構は、前記他方向へ回転する前記回転体から伝達される回転力を前記読取部の移動方向への移動力に変換して前記読取部に伝達し、前記読取位置から前記第１離れ位置へ前記読取部を移動させ、前記第１移動機構は、前記他方向へ回転する前記回転体から伝達される回転力を前記遮蔽部材の移動方向への移動力に変換して前記遮蔽部材に伝達し、前記第２移動機構により前記読取部が前記読取位置から前記第１離れ位置に移動した後に、前記開放位置から前記遮蔽位置へ前記遮蔽部材を移動させる。
【０００７】
本発明の請求項３に係る画像読取装置は、請求項１又は請求項２の構成において、前記読取部は、前記第１離れ位置よりも前記搬送路から離れた第２離れ位置と、前記読取位置の間を移動可能とされ、前記第２移動機構は、前記一方向へ回転する前記回転体から伝達される回転力を前記読取部の移動方向への移動力に変換して前記読取部に伝達し、前記第１離れ位置から前記第２離れ位置、前記第１離れ位置、前記読取位置の順で前記読取部を移動させる。
【０００８】
本発明の請求項４に係る画像読取装置は、請求項１〜３のいずれか１項の構成において、前記第１移動機構は、前記回転体から伝達される回転力により回転する第１回転部材と、一端部が前記第１回転部材側に配置され、他端部が前記遮蔽部材に連結された第１連結部材と、前記第１回転部材の回転中心からずれた位置に設けられ、前記第１回転部材と一体に回転し、前記第１連結部材に回転可能に連結された第１連結部と、前記第１連結部材に形成され、前記第１回転部材と一体に回転する第１連結部から前記第１連結部材へ伝達される移動力のうち、前記遮蔽部材の移動方向と異なる方向へ作用する移動力を吸収するように、前記第１連結部を案内する第１案内部と、を備えて構成されている。
【０００９】
本発明の請求項５に係る画像読取装置は、請求項１〜４のいずれか１項の構成において、前記第２移動機構は、前記回転体から伝達される回転力により回転する第２回転部材と、一端部が前記第２回転部材に配置され、中間部が回転可能に支持され、他端部が前記読取部に回転可能に連結され、前記中間部を支点に揺動することにより前記読取部を前記離れる方向及びその反対方向へ移動させる第２連結部材と、前記第２回転部材の回転中心からずれた位置に設けられ、前記第２回転部材と一体に回転し、前記第２連結部材の前記一端部側に回転可能に連結された第２連結部と、前記第２連結部材に形成され、前記第２回転部材と一体に回転する第２連結部から前記第２連結部材へ伝達される移動力のうち、前記第２連結部材の揺動方向と異なる方向へ作用する移動力を吸収するように、前記第２連結部を案内する第２案内部と、を備える構成されている。
【００１０】
本発明の請求項６に係る画像形成装置は、前記原稿から読み取った画像を画像信号に変換する請求項１〜５のいずれか１項に記載の画像読取装置と、前記画像読取装置が変換した画像信号に基づいて記録媒体へ画像を記録可能な画像記録装置と、を備える。
【発明の効果】
【００１１】
本発明の請求項１の構成によれば、互いが干渉せずに読取部及び遮蔽部材を移動させる際に、読取部及び遮蔽部材の移動を別個に制御するのを不要とすることができる。
【００１２】
本発明の請求項２の構成によれば、互いが干渉せずに読取部及び遮蔽部材を移動させる際に、読取部及び遮蔽部材の移動を別個に制御するのを不要とすることができる。
【００１３】
本発明の請求項３の構成によれば、読取部が第２離れ位置に移動しない場合に比べ、読取部及び遮蔽部材が移動する際に、互いが干渉しにくくなる。
【００１４】
本発明の請求項４の構成によれば、案内部が形成されていない場合に比べ、回転体から伝達される回転力を遮蔽部材の移動方向への移動力に変換することを容易にできる。
【００１５】
本発明の請求項５の構成によれば、案内部が形成されていない場合に比べ、回転体から伝達される回転力を読取部の移動方向への移動力に変換することを容易にできる。
【図面の簡単な説明】
【００１６】
【図１】図１は、本発明の実施形態に係る画像形成装置の全体構成を示す概略図である
【図２】図２は、本実施形態に係る第２読取機構の構成を示す概略図である。
【図３】図３は、本実施形態に係る遮蔽部材の構成を示す概略図である。
【図４】図４は、本実施形態に係る遮蔽部材において移動体を引き出した状態を示す概略図である。
【図５】図５は、本実施形態に係るイメージセンサが第１離れ位置にあると共に、遮蔽部材が遮蔽位置にある状態を示す概略図である。
【図６】図６は、本実施形態に係るイメージセンサが第２離れ位置にある状態を示す概略図である。
【図７】図７は、本実施形態に係る遮蔽部材が開放位置にある状態を示す概略図である。
【図８】図８は、本実施形態に係るイメージセンサが読取位置にあると共に、遮蔽部材が開放位置にある状態を示す概略図である。
【発明を実施するための形態】
【００１７】
以下に、本発明に係る実施形態の一例を図面に基づき説明する。
【００１８】
（本実施形態に係る画像形成装置の構成）
まず、本実施形態に係る画像形成装置の構成を説明する。図１は、本実施形態に係る画像形成装置の構成を示す概略図である。
【００１９】
本実施形態に係る画像形成装置１００は、用紙等の記録媒体Ｐに画像を記録する画像記録装置１１０と、原稿の画像を読み取る画像読取装置１０とを備えている。
【００２０】
画像読取装置１０は、画像形成装置１００の上部に配置され、画像記録装置１１０は、画像形成装置１００の下部に配置されている。
【００２１】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録可能とされている。
【００２２】
ここで、本実施形態に係る画像記録装置１１０の構成について説明する。
【００２３】
画像記録装置１１０は、用紙等の記録媒体Ｐが収容される記録媒体収容部１２０と、記録媒体Ｐにトナー画像を形成する画像形成部１２３と、記録媒体収容部１２０から画像形成部１２３へ記録媒体Ｐを搬送する搬送部１６０と、画像形成部１２３によって形成されたトナー画像を記録媒体Ｐに定着させる定着装置１３６と、定着装置１３６によってトナー画像が定着された記録媒体Ｐが排出される記録媒体排出部１４０と、を備えている。
【００２４】
画像形成部１２３は、イエロー（Ｙ）、マゼンタ（Ｍ）、シアン（Ｃ）、ブラック（Ｋ）の各色のトナー画像が形成される画像形成ユニット１３３Ｙ、１３３Ｍ、１３３Ｃ、１３３Ｋと、画像形成ユニット１３３Ｙ、１３３Ｍ、１３３Ｃ、１３３Ｋで形成されたトナー画像が転写される中間転写体の一例としての中間転写ベルト１１３と、画像形成ユニット１３３Ｙ、１３３Ｍ、１３３Ｃ、１３３Ｋで形成されたトナー画像を中間転写ベルト１１３に転写する一次転写部材の一例としての一次転写ロール１１５と、中間転写ベルト１１３に転写されたトナー画像を記録媒体Ｐに転写する二次転写部材の一例としての二次転写ロール１３２と、を備えている。
【００２５】
画像形成ユニット１３３Ｙ、１３３Ｍ、１３３Ｃ、１３３Ｋは、形成される画像を保持する像保持体として、一方向（図１においてＫ方向）へ回転する感光体ドラム１１２をそれぞれ有している。
【００２６】
各感光体ドラム１１２の周囲には、感光体ドラム１１２の回転方向上流側から順に、感光体ドラム１１２を帯電させる帯電装置１１４と、帯電した感光体ドラム１１２を露光して感光体ドラム１１２に静電潜像を形成する露光装置１１６と、感光体ドラム１１２に形成された静電潜像を現像してトナー画像を形成する現像装置１１８と、トナー画像が中間転写ベルト１１３に転写された後の感光体ドラム１１２の表面に残留しているトナーを除去する除去装置１４４と、が設けられている。
【００２７】
中間転写ベルト１１３は、二次転写ロール１３２に対向する対向ロール１３４及び支持ロール１４６によって支持され、感光体ドラム１１２と接触しながら一方向（図１において時計回り方向）へ循環移動するようになっている。
【００２８】
一次転写ロール１１５は、中間転写ベルト１１３を挟んで、感光体ドラム１１２に対向している。一次転写ロール１１５と感光体ドラム１１２との間には、感光体ドラム１１２に形成されたトナー画像が中間転写ベルト１１３に一次転写される一次転写位置が形成される。
【００２９】
二次転写ロール１３２は、中間転写ベルト１１３を挟んで対向ロール１３４と対向している。二次転写ロール１３２と対向ロール１３４との間には、中間転写ベルト１１３に一次転写されたトナー画像が記録媒体Ｐに二次転写される二次転写位置が形成される。
【００３０】
搬送部１６０は、記録媒体収容部１２０に収容された記録媒体Ｐを送り出す送出ロール１２６と、送出ロール１２６によって送り出された記録媒体Ｐを二次転写位置へ搬送する搬送ロール対１６４と、を備えている。
【００３１】
定着装置１３６は、二次転写位置より搬送方向下流側に配置されており、二次転写位置で転写されたトナー画像を記録媒体Ｐへ定着させる。
【００３２】
定着装置１３６よりも搬送方向下流側には、記録媒体Ｐを記録媒体排出部１４０へ排出する排出ロール対１４２が配置されている。
【００３３】
次に、本実施形態に係る画像形成装置における、画像を形成する画像形成動作について説明する。
【００３４】
本実施形態に係る画像記録装置１１０において、記録媒体Ｐへ画像を形成する場合は、まず記録媒体収容部１２０から送り出された記録媒体Ｐが、搬送ロール対１６４によって二次転写位置へ送り込まれる。
【００３５】
一方、中間転写ベルト１１３には、画像形成ユニット１３３Ｙ、１３３Ｍ、１３３Ｃ、１３３Ｋで形成された各色のトナー画像が重ねられて、カラー画像が形成される。二次転写位置へ送り込まれた記録媒体Ｐは、中間転写ベルト１１３に形成されたカラー画像が転写される。
【００３６】
トナー画像が転写された記録媒体Ｐは、定着装置１３６へ搬送され、転写されたトナー画像が定着装置１３６により定着される。トナー画像が定着された記録媒体Ｐは、排出ロール対１４２により記録媒体排出部１４０へ排出される。以上のように、一連の画像形成動作が行われる。
【００３７】
なお、画像記録装置の構成としては、上記の構成に限られず、例えば、中間転写体を有さない直接転写型の画像記録装置でもよく、インクジェット方式による画像記録装置でもよく、上記以外の構成により画像が記録可能な画像記録装置としてもよい。
【００３８】
（本実施形態に係る画像読取装置の構成）
次に、本実施形態に係る画像読取装置の構成を説明する。
本実施形態に係る画像読取装置１０は、搬送される原稿及び静止された原稿の両方を読み取ることが可能とされている。
【００３９】
画像読取装置１０は、図１に示すように、原稿を収容可能な原稿収容部の一例として、原稿が載置可能な原稿載置台１１と、原稿載置台１１に載置された原稿を原稿排出部３４へ搬送する搬送部３７と、搬送路３１を搬送された原稿が排出される原稿排出部３４とを備えている。
【００４０】
原稿載置台１１には、原稿載置台１１を上昇及び下降させる昇降装置１２が設けられている。この昇降装置１２は、原稿載置台１１に原稿が載置されると、その原稿が後述の送出ロール１３に接触する位置まで原稿載置台１１を上昇させる。
【００４１】
また、画像読取装置１０は、搬送部３７に搬送される原稿の表面の画像を読み取る第１読取機構７０と、搬送部３７に搬送される原稿の裏面の画像を読み取る第２読取機構４０と、第１読取機構７０及び第２読取機構４０によって読み取られた画像の画像信号を処理する処理装置８０とを備えている。なお、第１読取機構７０は、原稿の裏面を読み取る構成であってもよく、第２読取機構４０は、原稿の表面を読み取る構成であってもよい。
【００４２】
搬送部３７は、原稿載置台１１から原稿を送り出す送出ロール１３、原稿載置台１１から送り出された原稿が搬送される搬送路３１と、搬送路３１に沿って配置され原稿を下流側へ搬送する複数の搬送ロール１４、搬送路３１に配置され第２プラテンガラス７２Ｂに対向して配置された対向ロール１９と、原稿排出部３４へ原稿を排出させる排出ロール２１とを備えている。対向ロール１９は、搬送される原稿を第２プラテンガラス７２Ｂに押し当てるようになっている。
【００４３】
次に、第１読取機構７０について説明する。
第１読取機構７０は、画像読取装置１０の下部に設けられている。また、第１読取機構７０は、静止させた状態で画像が読み取られるべき原稿が載置される載置部材の一例としての第１プラテンガラス７２Ａと、搬送される原稿へ照射される光を透過させる透過部材の一例としての第２プラテンガラス７２Ｂとを備えている。
【００４４】
また、第１読取機構７０は、第１プラテンガラス７２Ａに沿って移動可能な第１移動体７３及び第２移動体７５を備えている。
【００４５】
第１移動体７３には、原稿に光を照射する光照射部７４と、原稿で反射した反射光を受光する第１ミラー７６Ａとが設けられている。第２移動体７５には、第１ミラー７６Ａから得られた光を導く第２ミラー７６Ｂ及び第３ミラー７６Ｃが設けられている。
【００４６】
更に、第１読取機構７０は、第３ミラー７６Ｃから得られた光学像を光学的に縮小する結像用レンズ７７、結像用レンズ７７によって結像された光学像を光電変換するＣＣＤ（Ｃｈａｒｇｅ  Ｃｏｕｐｌｅｄ  Ｄｅｖｉｃｅ）イメージセンサ７８、ＣＣＤイメージセンサ７８を備えている。ＣＣＤイメージセンサ７８によって得られた画像信号は、処理装置８０によって露光装置１１６へ送られるようになっている。
【００４７】
ここで、まず、第１プラテンガラス７２Ａに載置された原稿の画像を読み取る場合には、第１移動体７３と第２移動体７５とが、例えば、２：１の割合でスキャン方向（矢印方向）に移動する。このとき、第１移動体７３の光照射部７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）に第１移動体７３を移動させ、原稿の次のラインを読み取る。これを原稿サイズ全体に亘って実行することで、１ページの原稿読み取りを完了させる。
【００４８】
一方、搬送部３７によって搬送される原稿が第２プラテンガラス７２Ｂの上を通過する。このとき、第１移動体７３と第２移動体７５とは、図１に示す実線の位置に停止した状態にある。まず、対向ロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、１次元のセンサであるＣＣＤイメージセンサ７８によって主走査方向の１ライン分を同時に処理した後、搬送部３７によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００４９】
第１読取機構７０としては、上記の構成に限られるものでなく、上記以外の構成により原稿の画像を読み取る構成としてもよい。
【００５０】
（第２読取機構４０の構成）
次に、第２読取機構４０の構成について説明する。
第２読取機構４０は、図２に示すように、原稿の画像を読み取る読取部の一例として、発光ダイオード等の発光部４２Ａからの光を原稿に照射し、反射した光を受光することによって原稿の画像を光学的に読み取るイメージセンサ４２を備えている。
【００５１】
イメージセンサ４２は、搬送路３１から遠ざかる方向及び搬送路３１に近づく方向に移動可能とされている。具体的には、イメージセンサ４２は、図２における上下方向に移動するようになっている。なお、イメージセンサ４２は、搬送路３１の形成方向によっては、横方向（左右方向）や、斜め方向に移動するように構成してもよい。
【００５２】
また、本実施形態では、イメージセンサ４２は、搬送路３１の一部を構成する搬送路面３１Ａに対して、直角方向に移動可能とされている。なお、イメージセンサ４２は、搬送路面３１Ａに対して、斜めに傾斜する方向に移動する構成であってもよい。
【００５３】
このように移動可能なイメージセンサ４２は、搬送路３１を搬送される原稿の画像を読取可能な読取位置（図２（Ｄ）参照）と、その読取位置よりも搬送路３１から離れた第１離れ位置（図２（Ａ）参照）と、第１離れ位置よりも搬送路３１から離れた第２離れ位置（図２（Ｂ）、（Ｃ）参照）との間を移動可能とされている。読取位置、第１離れ位置及び第２離れ位置は、搬送路３１から見て、読取位置が最も近い位置となり、第１離れ位置が次に近い位置となり、第２離れ位置が最も遠い位置となる。
【００５４】
イメージセンサ４２は、搬送路３１側の端部（図２における下部）側に、原稿へ光を発する発光部４２Ａと、反射光を受光するための受光部４２Ｂとを備えている。また、イメージセンサ４２には、下方へ突出する突出部４３が、発光部４２Ａ及び受光部４２Ｂを間においてその両側に設けられている。この突出部４３は、例えば、原稿が搬送される搬送方向に直交する幅方向の一端側及び他端側にそれぞれ２つずつ配置されている。
【００５５】
イメージセンサ４２が読取位置に位置する場合において、発光部４２Ａ及び受光部４２Ｂが搬送路面３１Ａに対面した際に、突出部４３が搬送路面３１Ａに接触するようになっている。これにより、受光部４２Ｂは、搬送路面３１Ａを搬送される原稿との間に予め定められた隙間が形成され、直接接触しないようになっている。
【００５６】
イメージセンサ４２が第１離れ位置に位置する場合において、発光部４２Ａ及び受光部４２Ｂが遮蔽部材４４に対面した際に、突出部４３が遮蔽部材４４に接触するようになっている。これにより、受光部４２Ｂは、遮蔽部材４４との間に予め定められた隙間が形成され、直接接触しないようになっている。
【００５７】
第１離れ位置に位置するイメージセンサ４２と搬送路３１との間には、イメージセンサ４２と搬送路３１を仕切る仕切部材３２が配置されている。
【００５８】
仕切部材３２は、搬送路３１から間隔をおいて、搬送路３１に沿って延び設けられている。本実施形態では、仕切部材３２は、搬送路３１に沿った板状に形成されている。なお、仕切部材３２の形状は、板状に限られるものではなく、板状以外の形状としてもよい。
仕切部材３２には、イメージセンサ４２が通過可能な開口３２Ａが形成されている。
【００５９】
また、仕切部材３２には、イメージセンサ４２を搬送路３１から遮蔽するための遮蔽部材４４が設けられている。本実施形態では、遮蔽部材４４は、搬送路３１に沿った板状に形成されている。なお、遮蔽部材４４の形状は、板状に限られるものではなく、板状以外の形状としてもよい。
【００６０】
遮蔽部材４４は、仕切部材３２に沿って、移動可能とされており、図示しない案内部材により、仕切部材３２に沿った方向へ案内される。
遮蔽部材４４は、第１離れ位置に位置するイメージセンサ４２を搬送路３１から遮蔽可能な遮蔽位置と、第１離れ位置に位置するイメージセンサ４２を搬送路３１に開放可能な開放位置との間を移動可能とされている。
【００６１】
遮蔽部材４４は、遮蔽位置において、仕切部材３２の開口３２Ａを閉じると共に、イメージセンサ４２の発光部４２Ａ及び受光部４２Ｂを搬送路３１から遮蔽するようになっている。また、遮蔽部材４４は、開放位置において、仕切部材３２の開口３２Ａを開けると共に、イメージセンサ４２の発光部４２Ａ及び受光部４２Ｂを搬送路３１から開放するようになっている。
【００６２】
（遮蔽部材４４の構成）
ここで、遮蔽部材４４の構成について説明する。
遮蔽部材４４には、図３及び図４に示すように、一方向に移動可能な移動体４９と、移動体４９をその移動方向に案内する案内部材４７とが設けられている。
【００６３】
本実施形態では、移動体４９は、案内部材４７に案内されることにより、原稿の搬送方向と直交する幅方向に沿って移動可能とされている。なお、移動体４９は幅方向に移動する構成に限られない。また、移動体４９は、一方向とその反対方向の両方向に移動可能とされる構成であってもよい。
【００６４】
この移動体４９は、案内部材４７に案内されることにより、遮蔽部材４４から引き出される引出位置と、遮蔽部材４４に装着される装着位置との間を移動可能とされている。
【００６５】
また、遮蔽部材４４には、遮蔽部材４４に装着された移動体４９の引出方向への移動を規制する規制部材４５Ａが、引き出し方向側に設けられている。規制部材４５Ａは、移動体４９の移動を規制する規制位置とその規制を解除する解除位置に移動可能とされている。
【００６６】
規制部材４５Ａは、移動体４９に当ることにより、移動体４９の移動を規制する。規制部材４５Ａを解除位置に移動させて規制を解除することにより、移動体４９が引き出し可能となる。
【００６７】
また、遮蔽部材４４には、遮蔽部材４４に装着された移動体４９の引出方向とは反対側へ移動するのを規制する規制部材４５Ｂが設けられている。規制部材４５Ｂは、移動体４９に当ることにより、移動体４９の移動を規制する。
【００６８】
また、本実施形態では、移動体４９は、遮蔽部材４４（搬送路３１）に沿った板状に形成されている。なお、移動体４９の形状は、板状に限られるものではなく、板状以外の形状としてもよい。
【００６９】
移動体４９には、操作者が把持可能な把持部４９Ａが形成されており、把持部４９Ａを把持して移動体４９を移動させられる。
【００７０】
移動体４９が移動することにより、移動体４９は、図４に示すように、遮蔽部材４４から引き出される。遮蔽部材４４から引き出される際には、移動体４９は、遮蔽部材４４から離脱する構成であってもよいし、遮蔽部材４４と分離されない構成であってもよい。
【００７１】
また、移動体４９には、シェーディング補正用の基準色（例えば白色）が配色された基準部材４６が設けられている。基準部材４６は、第１離れ位置に位置するイメージセンサ４２の発光部４２Ａ及び受光部４２Ｂと対向する遮蔽部材４４の対向面に配置されている。
【００７２】
受光部４２Ｂが基準部材４６上の基準色を読み取ることにより、シェーディング補正が行われる。シェーディング補正とは、発光部４２Ａから原稿に照射される光量の経時変化や、受光部４２Ｂの受光素子の感度のバラツキ等を補正する処理である。
【００７３】
また、シェーディング補正を行うタイミングは、例えば、画像読取装置１０の主電源がオンになった場合や、原稿の裏面の画像読取が指示された場合等、イメージセンサ４２が第１離れ位置に位置する場合において遮蔽部材４４が遮蔽位置にある期間内において、任意に定められる。
【００７４】
遮蔽部材４４には、遮蔽部材４４とイメージセンサ４２との隙間を閉鎖するための閉鎖部材４８が設けられている。閉鎖部材４８は、イメージセンサ４２が第１離れ位置に位置すると共に遮蔽部材４４が遮蔽位置に位置する場合において、遮蔽部材４４とイメージセンサ４２との隙間を閉鎖するようになっている。
【００７５】
閉鎖部材４８は、基準部材４６の間に挟むように配置されており、搬送方向上流側と下流側の基準部材４６を２方向から囲んでいる。また、閉鎖部材４８は、基準部材４６の長手方向に沿って配置されており、幅広とされた側とされた２方向側に配置されている。
【００７６】
なお、閉鎖部材４８は、基準部材４６の３方向側又は４方向側から囲むように構成してもよい。
【００７７】
（第２読取機構４０の作用）
次に、第２読取機構４０の作用を説明する。
本実施形態に係る画像読取装置１０では、まず、イメージセンサ４２が原稿の画像を読み取る必要のない場合は、イメージセンサ４２は第１離れ位置に位置し、遮蔽部材４４は遮蔽位置に位置する（図２（Ａ））。この状態においては、イメージセンサ４２の突出部４３が遮蔽部材４４に接触している。
【００７８】
原稿の画像を読み取る必要のない場合とは、例えば、画像読取装置１０の主電源がＯＦＦの場合や、主電源がＯＮであっても原稿が搬送されていない場合、あるいは原稿が搬送されている場合であっても、第１読取機構７０による画像読取のみが指示されていた場合等である。
【００７９】
イメージセンサ４２が第１離れ位置に位置し、遮蔽部材４４が遮蔽位置に位置する場合において、第２読取機構４０による画像読取が指示されたときは、まず、イメージセンサ４２は、第２離れ位置に移動して遮蔽部材４４から離間する（図２（Ｂ）参照）。
【００８０】
次に、遮蔽部材４４が遮蔽位置から開放位置に移動する（図２（Ｃ）参照）。次に、イメージセンサ４２は、第２離れ位置から読取位置に移動して、原稿の画像を読み取る（図２（Ｄ）参照）。
【００８１】
イメージセンサ４２の読取が終了すると、イメージセンサ４２は、読取位置から第２離れ位置に移動する（図２（Ｃ）参照）。次に、遮蔽部材４４が開放位置から遮蔽位置に移動する（図２（Ｂ）参照）。次に、イメージセンサ４２は、第２離れ位置から第１離れ位置に移動する（図２（Ａ）参照）。
【００８２】
（イメージセンサ４２及び遮蔽部材４４を移動させるための移動構造５０）
次に、上述したように、イメージセンサ４２及び遮蔽部材４４を移動させる具体的な移動構造５０について説明する。
【００８３】
移動構造５０は、イメージセンサ４２を読取位置と第１離れ位置と第２離れ位置との間で移動させると共に、イメージセンサ４２に連動して、イメージセンサ４２が第２離れ位置にあるときに遮蔽部材４４を開放位置と遮蔽位置との間で移動させるようになっている。
【００８４】
なお、イメージセンサ４２は、第２離れ位置に移動せず、読取位置と第１離れ位置との間で移動する構成であってもよい。その場合は、遮蔽部材４４は、イメージセンサ４２が第１離れ位置にあるときに開放位置と遮蔽位置との間で移動する構成となる。
【００８５】
移動構造５０は、駆動部からの駆動力を受けて一方向へ回転可能な回転体の一例として、駆動モータ５２からの駆動力を受けて両方向に回転可能なギア５４を備えている。
【００８６】
ギア５４は、イメージセンサ４２から見て搬送路３１とは反対側、すなわち、図５における上方側に配置されている。また、ギア５４は、イメージセンサ４２から見て搬送方向上流側に配置されている。なお、ギア５４は、イメージセンサ４２の搬送方向下流側に配置される構成であってもよい。
【００８７】
ギア５４は、第１位置と第２位置との間を駆動モータ５２によって両方向に回転可能とされている。第１位置は、イメージセンサ４２を第１離れ位置に位置させ、遮蔽部材４４を遮蔽位置に位置させるための位置である（図５参照）。第２位置は、イメージセンサ４２を読取位置に位置させ、遮蔽部材４４を開放位置に位置させるための位置である（図８参照）。
【００８８】
ギア５４は、イメージセンサ４２を第１離れ位置から読取位置に移動させると共に、遮蔽部材４４を遮蔽位置から開放位置に移動させる場合には、図５における反時計方向に回転するようになっており、イメージセンサ４２を読取位置から第１離れ位置に移動させると共に、遮蔽部材４４を開放位置から遮蔽位置に移動させる場合には、図５における時計方向に回転するようになっている。なお、ギア５４は、一方向へのみ回転する構成であってもよい。
【００８９】
また、移動構造５０は、一方向（図５における反時計方向）へ回転するギア５４から伝達される回転力を遮蔽部材４４の移動方向への移動力に変換して遮蔽部材４４に伝達し、遮蔽位置から開放位置へ遮蔽部材４４を移動させる第１移動機構８１を備えている。
【００９０】
また、移動構造５０は、一方向（図５における反時計方向）へ回転するギア５４から伝達される回転力をイメージセンサ４２の移動方向への移動力に変換してイメージセンサ４２に伝達し、第１移動機構８１により遮蔽部材４４が開放位置に移動した後に第１離れ位置から読取位置へイメージセンサ４２を移動させる第２移動機構８２を備えている。
【００９１】
第２移動機構８２は、第１離れ位置から第２離れ位置、第１離れ位置、読取位置の順でイメージセンサ４２を移動させる。
【００９２】
第１移動機構８１は、ギア５４から伝達される回転力により回転する第１回転部材５３を備えている。この第１回転部材５３は、ギア５４と噛み合うギア５５と、ギア５５の径方向外側へ延びる腕部材の一例としてのアーム５６を備えている。
【００９３】
ギア５５は、ギア５４から見てイメージセンサ４２がある側とは反対側、すなわち、搬送方向上流側に配置されている。ギア５５の回転中心軸は、ギア５４の回転中心よりも、搬送路３１側、すなわち下方側に位置している。
【００９４】
ギア５５は、ギア５４及びギア６０よりも大径とされている。ギア５５は、円周上の２点を通る線分であって回転軸部５５Ａの外周側を通る線分によって、円形の一部が切り欠けられた形状をしている。ギア５５には、円弧状とされた外周にギア歯が形成されている。
【００９５】
アーム５６は、ギア５５と一体に回転するようになっている。アーム５６は、ギア５５の回転により、斜め下方であって搬送方向下流側に先端部が向けられた位置（図５参照）と、斜め下方であって搬送方向上流側に先端部が向けられた位置（図８参照）との間を移動可能とされている。
【００９６】
また、第１移動機構８１は、第１連結部材５７に回転可能に連結された第１連結部として、ギア５４及びギア５５の軸方向に沿って突出する軸部５６Ａを備えている。軸部５６Ａは、第１回転部材５３の回転中心からずれた位置に、具体的には、アーム５６の先端部に設けられており、第１回転部材５３と一体に回転するようになっている。
【００９７】
遮蔽部材４４には、一端部が第１回転部材５３のアーム５６側に配置され、他端部が遮蔽部材４４に連結された第１連結部材５７が設けられている。第１連結部材５７は、遮蔽部材４４の搬送方向上流端部に配置されている。第１連結部材５７は、遮蔽部材４４から上方に延びると共に上部が搬送方向上流側に屈曲している。
【００９８】
第１連結部材５７には、軸部５６Ａを案内する第１案内部の一例としての長孔５９が形成されている。第１案内部としては、溝部であっても良い。
【００９９】
長孔５９は、遮蔽部材４４側から上方に延びると共に上部が搬送方向上流側に屈曲するように、第１連結部材５７に形成されている。また、長孔５９は、下端部５９Ａ、屈曲部５９Ｂ、上端部５９Ｃを有している。
【０１００】
長孔５９は、第１回転部材５３と一体に回転する軸部５６Ａから第１連結部材５７へ伝達される移動力のうち、遮蔽部材４４の移動方向と異なる方向へ作用する移動力を吸収するように、軸部５６Ａを案内するようになっている。
【０１０１】
アーム５６の軸部５６Ａが長孔５９内を移動可能に、軸部５６Ａが長孔５９に取り付けられている。軸部５６Ａは、長孔５９から離脱しないようになっている。
【０１０２】
第１移動機構８１では、ギア５４が第１位置に位置する場合においては、図５に示すように、軸部５６Ａは、長孔５９の屈曲部５９Ｂに位置している。このとき、遮蔽部材４４は、遮蔽位置に位置する。
【０１０３】
ギア５４が第１位置から第２位置へ回転すると、図６に示すように、ギア５５がアーム５６と一体に回転し、アーム５６の軸部５６Ａは、長孔５９の下端部５９Ａへ移動しながら、第１連結部材５７を搬送方向上流側へ押して、遮蔽部材４４を搬送方向上流側へ移動させる。さらに、ギア５４が回転して、アーム５６の軸部５６Ａが最下方に位置するときに、アーム５６の軸部５６Ａは、長孔５９の下端部５９Ａに位置する。
【０１０４】
さらに、ギア５４が回転すると、図７に示すように、アーム５６の軸部５６Ａは、長孔５９の下端部５９Ａから屈曲部５８Ａへ移動しながら、第１連結部材５７を搬送方向上流側へ押して、遮蔽部材４４を搬送方向上流側へ移動させる。このとき、遮蔽部材４４は開放位置に位置する。
【０１０５】
さらに、ギア５４が回転すると、図８に示すように、アーム５６の軸部５６Ａは、長孔５９の屈曲部５８Ａから上端部５８Ｃへ移動する。このときは、第１連結部材５７へは、軸部５６Ａから力が作用せず、遮蔽部材４４は移動しない。
【０１０６】
一方、第２移動機構８２は、ギア５４から伝達される回転力により回転する第２回転部材６９を備えている。
【０１０７】
第２回転部材６９は、ギア５４と噛み合うギア６０と、ギア６０の径方向外側に張り出す鍔部の一例としてのフランジ６２とを備えて構成されている。
【０１０８】
ギア６０は、ギア５４から見てイメージセンサ４２がある側、すなわち、搬送方向下流側に配置されている。ギア６０の回転中心軸は、ギア５４の回転中心よりも、搬送路３１側、すなわち下方側に位置している。ギア６０は、ギア５４と同等の径とされており、ギア６０よりも小径とされている。
【０１０９】
ギア６０には、その径方向外側に張り出す鍔部の一例としてのフランジ６２が形成されており、フランジ６２は、ギア６０と一体に回転するようになっている。
【０１１０】
第２回転部材６９の回転中心からずれた位置には、アーム６４の一端部側に回転可能に連結された第２連結部の一例としての軸部６３が設けられている。軸部６３は、第２回転部材と一体に回転するようになっている。
【０１１１】
フランジ６２には、ギア５４及びギア６０の軸方向に沿って突出する軸部６３が設けられている。軸部６３は、ギア６０の回転により、ギア６０から見て斜め下方であって搬送方向下流側の位置（図５参照）と、斜め上方であって搬送方向上流側の位置（図８参照）との間を移動可能とされている。
【０１１２】
また、第２移動機構８２は、一端部がギア６０に配置され、中間部が回転可能に支持され、他端部がイメージセンサ４２に回転可能に連結され、第２連結部材の一例としてのアーム６４を備えている。
【０１１３】
アーム６４は、中間部には、アーム６４を回転可能に支持する支持軸６６が設けられおり、支持軸６６を支点に揺動することによりイメージセンサ４２を移動させる。
【０１１４】
アーム６４の他端部には、軸部６３を案内する第２案内部として、アーム６４に沿って延びる長孔６８が形成されている。長孔６８は、下端部６８Ａ、逃げ部６８Ｂ、上端部６８Ｃを有している。第２案内部としては、溝部であっても良い。
【０１１５】
長孔６８は、第２回転部材６９と一体に回転する軸部６３からアーム６４へ伝達される移動力のうち、アーム６４の揺動方向と異なる方向へ作用する移動力を吸収するように、軸部６３を案内する。
【０１１６】
フランジ６２の軸部６３が長孔６８内を移動可能に、軸部６３Ａが長孔６８に取り付けられている。軸部６３は、長孔６８から離脱しないようになっている。
【０１１７】
第２移動機構８２では、ギア５４が第１位置に位置する場合においては、図５に示すように、軸部６３は、長孔６８の下端部６８Ａに位置している。このとき、イメージセンサ４２は、第１離れ位置に位置する。
【０１１８】
ギア５４が第１位置から第２位置へ回転すると、図６に示すように、ギア６０がフランジ６２と一体に回転し、フランジ６２の軸部６３は、長孔６８の上端部６８Ｃ側へ移動しながら、アーム６４の上端部６４Ｂを下方へ押し下げる。これにより、アーム６４は、軸部６６を支点にして、下端部６４Ａが上方へ移動し、イメージセンサ４２が上方に移動する。このとき、イメージセンサ４２は、第２離れ位置に位置する。
さらに、ギア５４が回転して、フランジ６２の軸部６３が逃げ部６８Ｂに達するとイメージセンサ４２が最上方位置（第２離れ位置）に位置する。
【０１１９】
逃げ部６８Ｂは、外縁がフランジ６２の軸部６３の軌道に沿って形成されており、フランジ６２の軸部６３が逃げ部６８Ｂを移動している間は、アーム６４は移動せず、イメージセンサ４２を最上方位置に留まる。
【０１２０】
さらに、ギア５４が回転すると、図７に示すように、フランジ６２の軸部６３は、長孔６８の逃げ部６８Ｂから上端部６８Ｃへ移動しながら、アーム６４の上端部６４Ｂを上方へ押し上げる。これにより、アーム６４は、軸部６６を支点にして、下端部６４Ａが下方へ移動し、イメージセンサ４２を下方へ移動させる。このとき、イメージセンサ４２は、第１離れ位置に位置する。
【０１２１】
さらに、図８に示すように、ギア５４が回転して、フランジ６２の軸部６３が長孔６８の上端部６８Ｃに位置するときに、イメージセンサ４２は、読取位置に位置する。
【０１２２】
なお、ギア５４が、図５における時計方向に回転する場合には、第１移動機構８０及び第２移動機構８２は、以下のとおり動作する。
第２移動機構８２は、図５における時計方向に回転するギア５４から伝達される回転力をイメージセンサ４２の移動方向への移動力に変換してイメージセンサ４２に伝達し、読取位置から第１離れ位置へ前記読取部を移動させる。
【０１２３】
第１移動機構８０は、図５における時計方向に回転するギア５４から伝達される回転力を遮蔽部材４４の移動方向への移動力に変換して遮蔽部材４４に伝達し、第２移動機構８２によりイメージセンサ４２が読取位置から第１離れ位置に移動した後に、開放位置から遮蔽位置へ遮蔽部材４４を移動させる。
【０１２４】
本発明は、上記の実施形態に限るものではなく、種々の変形、変更、改良したものであってもよい。
【符号の説明】
【０１２５】
１０   画像読取装置
４２   イメージセンサ（読取部の一例）
４４   遮蔽部材
５３   第１回転部材
５４   ギア（回転体の一例）
５６Ａ 軸部（連結部の一例）
５７   第１連結部材
５９   長孔（案内部の一例）
６３   軸部（第２連結部の一例）
６４   アーム（第２連結部材の一例）
６８   長孔（第２案内部の一例）
８１   第１移動機構
８２   第２移動機構
１００ 画像形成装置
１１０ 画像記録装置
【図１】
2011010092.tif 000003
【図２】
2011010092.tif 000004
【図３】
2011010092.tif 000005
【図４】
2011010092.tif 000006
【図５】
2011010092.tif 000007
【図６】
2011010092.tif 000008
【図７】
2011010092.tif 000009
【図８】
2011010092.tif 000010